(57)【要約】【課題】情報処理装置のユーザがネットワークを介して画像処理装置にアクセスした場合に、情報処理装置に、画像処理装置の操作画面をユーザが所望する表示形式で表示させる制御を行う画像処理装置を提供する。【解決手段】ＭＦＰ１０１が、クライアント端末１０４からアクセスされた場合に、クライアント端末１０４のユーザに紐付く、ＭＦＰ１０１の操作部の表示設定を取得する。そして、ＭＦＰ１０１が、クライアント端末１０４でのＭＦＰ１０１の操作画面の表示が上記取得されたＭＦＰ１０１の操作部の表示設定に応じた表示となるように制御する。【選択図】図１
2019022235.tif 000002
【特許請求の範囲】
【請求項１】
ネットワークを介して情報処理装置と通信可能な画像処理装置であって、
前記画像処理装置にログイン可能なユーザのユーザ識別情報に対応付けられている表示設定であって、前記表示設定に基づく画面を表示可能な操作部と、
前記情報処理装置からユーザ識別情報を受信する受信手段と、
前記受信手段によって受信したユーザ識別情報に対応付けられている前記表示設定を取得する取得手段と、
前記取得手段によって取得された表示設定に基づく画面データを前記情報処理装置に送信する送信手段とを備える
ことを特徴とする画像処理装置。
【請求項２】
ネットワークを介して情報処理装置と通信可能な画像処理装置であって、
前記画像処理装置にログイン可能なユーザのユーザ識別情報に対応付けられている表示設定であって、前記表示設定に基づく画面を表示可能な操作部と、
前記情報処理装置からユーザ識別情報を受信する受信手段と、
前記受信手段によって受信したユーザ識別情報に対応付けられている前記表示設定を取得する取得手段と、
前記取得手段によって取得された表示設定に基づく表示定義情報が設定された画面データを前記情報処理装置に送信する送信手段とを備える
ことを特徴とする画像処理装置。
【請求項３】
さらに、前記情報処理装置に対して、前記情報処理装置での前記画像処理装置の操作画面の表示を前記取得された前記操作部の表示設定に基づく表示にするかを問い合わせる制御手段を有し、
前記送信手段は、前記問い合わせに対する前記情報処理装置からの通知が、前記操作画面の表示を前記操作部の表示設定に基づく表示にすることを示す場合に、前記表示設定に基づく画面データを送信する
ことを特徴とする請求項１に記載の画像処理装置。
【請求項４】
さらに、前記情報処理装置に対して、前記情報処理装置での前記画像処理装置の操作画面の表示を前記取得された前記操作部の表示設定に基づく表示にするかを問い合わせる制御手段を有し、
前記送信手段は、前記問い合わせに対する前記情報処理装置からの通知が、前記操作画面の表示を前記操作部の表示設定に基づく表示にすることを示す場合に、前記表示設定に基づく表示定義情報が設定された画面データを送信する
ことを特徴とする請求項２に記載の画像処理装置。
【請求項５】
前記画面データは、ＨＴＭＬ形式のデータであり、前記表示定義情報は、スタイルシートである
ことを特徴とする請求項４に記載の画像処理装置。
【請求項６】
前記送信手段は、送信する前記画面データとして、前記取得された前記操作部の表示設定に基づき編集されたコンテンツを取得して送信する
ことを特徴とする請求項１に記載の画像処理装置。
【請求項７】
さらに、前記情報処理装置に対して、前記情報処理装置での前記画像処理装置の操作画面の表示を前記取得された前記操作部の表示設定に基づく表示にするかを問い合わせる制御手段を有し、
前記送信手段は、前記問い合わせに対する前記情報処理装置からの通知が、前記操作画面の表示を前記操作部の表示設定に基づく表示にすることを示す場合に、送信する前記画面データとして、前記操作部の表示設定に応じて編集されたコンテンツを取得することを特徴とする請求項６に記載の画像処理装置。
【請求項８】
前記操作部の表示設定は、少なくとも、前記操作部の画面に表示される文字の拡大に関する設定、表示言語に関する設定、前記画面の色の反転に関する設定、操作に関する通知または入力を音声で行う機能に関する設定のうちのいずれかを含む
ことを特徴とする請求項１乃至７のいずれか１項に記載の画像処理装置。
【請求項９】
さらに、前記情報処理装置が備えるＷｅｂブラウザが実行する操作画面の表示を制御するＷｅｂサーバを有する
ことを特徴とする請求項１乃至８のいずれか１項に記載の画像処理装置。
【請求項１０】
前記情報処理装置から前記ネットワークを介してアクセスされた場合に、情報処理装置のユーザの認証処理を実行する認証手段を備え、
前記取得手段は、前記認証手段による前記ユーザの認証が成功した場合に、前記ユーザのユーザ識別情報に対応付けられている前記表示設定を取得する
ことを特徴とする請求項１乃至９のいずれか１項に記載の画像処理装置。
【請求項１１】
画像処理装置と、ネットワークを介して前記画像処理装置と通信可能な情報処理装置とを備えるシステムであって、
前記画像処理装置は、
前記画像処理装置にログイン可能なユーザのユーザ識別情報に対応付けられている表示設定であって、前記表示設定に基づく画面を表示可能な操作部と、
前記情報処理装置からユーザ識別情報を受信する受信手段と、
前記受信手段によって受信したユーザ識別情報に対応付けられている前記表示設定を取得する取得手段と、
前記取得手段によって取得された表示設定に基づく画面データを前記情報処理装置に送信する送信手段とを備え、
前記情報処理装置は、
前記画像処理装置にユーザ識別情報を送信する送信手段と、
前記画像処理装置が備える送信手段から受信した前記画面データの表示を実行する表示手段とを備える
ことを特徴とする情報処理システム。
【請求項１２】
画像処理装置と、ネットワークを介して前記画像処理装置と通信可能な情報処理装置とを備えるシステムであって、
前記画像処理装置は、
前記画像処理装置にログイン可能なユーザのユーザ識別情報に対応付けられている表示設定であって、前記表示設定に基づく画面を表示可能な操作部と、
前記情報処理装置からユーザ識別情報を受信する受信手段と、
前記受信手段によって受信したユーザ識別情報に対応付けられている前記表示設定を取得する取得手段と、
前記取得手段によって取得された表示設定に基づく表示定義情報が設定された画面データを前記情報処理装置に送信する送信手段とを備え、
前記情報処理装置は、
前記画像処理装置にユーザ識別情報を送信する送信手段と、
前記画像処理装置が備える送信手段から受信した前記画面データの表示を実行する表示手段とを備える
ことを特徴とする情報処理システム。
【請求項１３】
ネットワークを介して情報処理装置と通信可能な画像処理装置の制御方法であって、
前記画像処理装置にログイン可能なユーザのユーザ識別情報に対応付けられている表示設定であって、前記表示設定に基づく画面を表示する表示工程と、
前記情報処理装置からユーザ識別情報を受信する受信工程と、
前記受信工程によって受信したユーザ識別情報に対応付けられている前記表示設定を取得する取得工程と、
前記取得工程によって取得された表示設定に基づく画面データを前記情報処理装置に送信する送信工程とを有する
ことを特徴とする制御方法。
【請求項１４】
ネットワークを介して情報処理装置と通信可能な画像処理装置の制御方法であって、
前記画像処理装置にログイン可能なユーザのユーザ識別情報に対応付けられている表示設定であって、前記表示設定に基づく画面を表示する表示工程と、
前記情報処理装置からユーザ識別情報を受信する受信工程と、
前記受信工程によって受信したユーザ識別情報に対応付けられている前記表示設定を取得する取得工程と、
前記取得工程によって取得された表示設定に基づく表示定義情報が設定された画面データを前記情報処理装置に送信する送信工程とを有する
ことを特徴とする制御方法。
【請求項１５】
コンピュータを請求項１乃至１０のいずれか１項に記載の画像処理装置が備える各手段として機能させるためのコンピュータプログラム。
【発明の詳細な説明】
【技術分野】
【０００１】
本発明は、画像処理装置、情報処理システム、制御方法およびコンピュータプログラムに関する。
【背景技術】
【０００２】
複数のユーザでプリンタ等の画像処理装置を共有して使用することが行われている。ユーザは、画像処理装置の操作部の表示形式を所望の表示形式に設定する。例えば、画像処理装置が、表示言語を日本語に設定された画像形成装置である場合、表示言語を英語で利用したいユーザは、まず表示言語設定を日本語から英語に変更し、所望の機能を利用し、最後に表示言語設定を英語から日本語に変更する操作が必要となる。
【０００３】
特許文献１は、複数のコンピュータ端末において同じ表現形態にて表示情報を共通に利用できる共有情報利用システムを開示している。
【先行技術文献】
【特許文献】
【０００４】
【特許文献１】特開２００１−２４３１６５号公報
【発明の概要】
【発明が解決しようとする課題】
【０００５】
画像処理装置がユーザ毎に操作部の表示形式を保持しておき、ユーザがログインした場合、操作部の表示形式をユーザに紐付く表示形式に変更することで、それぞれのユーザに応じた表示を行うことが考えられる。これにより、操作画面の表示色を反転させたり、操作画面の表示を拡大可能にするといったように、ユーザに応じて個別の表示を行うことが可能となる。
【０００６】
一方、装置側の操作部による操作手段（LUI)とともに、情報処理装置であるクライアント端末のＷｅｂブラウザからの操作手段(RUI) を持つ画像処理装置がある。この画像処理装置は、Ｗｅｂサーバの機能を有しており、クライアント端末のＷｅｂブラウザから装置内のＷｅｂサーバにアクセスされると、Ｗｅｂブラウザに対して、画像処理装置を操作するための操作画面データを返す。クライアント端末のＷｅｂブラウザが、この操作画面データに基づいて操作画面を表示することで、ユーザは、リモートで画像処理装置を操作するための入力を行うことが可能となる。これにより、遠隔地のクライアント端末から機器のステータス表示、ジョブの実行、機器の設定を行うことができる。
【０００７】
Ｗｅｂブラウザで表示される操作画面の表示に関する設定は、Ｗｅｂブラウザ側の設定に従う。したがって、装置側の操作部の表示設定がされていた場合に、Ｗｅｂブラウザが表示する操作画面も同様の表示形式で表示したい場合は、別途、Ｗｅｂブラウザ側で表示設定を行う必要があった。例えば、装置側の操作部において表示色を反転させる設定を行っている場合には、クライアント端末側のＯＳやＷｅｂブラウザの設定を変更する必要があった。また、普段使用していない端末のＷｅｂブラウザから画像処理装置内のＷｅｂサーバにアクセスし、操作画面を表示させたい場合は、ユーザは、その都度設定を行う必要があった。
【０００８】
本発明は、情報処理装置のユーザがネットワークを介して画像処理装置にアクセスした場合に、情報処理装置に、画像処理装置の操作画面をユーザが所望する表示形式で表示させる制御を行う画像処理装置の提供を目的とする。
【課題を解決するための手段】
【０００９】
本発明の一実施形態の画像処理装置は、ネットワークを介して情報処理装置と通信可能な画像処理装置であって、前記画像処理装置にログイン可能なユーザのユーザ識別情報に対応付けられている表示設定であって、前記表示設定に基づく画面を表示可能な操作部と、前記情報処理装置からユーザ識別情報を受信する受信手段と、前記受信手段によって受信したユーザ識別情報に対応付けられている前記表示設定を取得する取得手段と、前記取得手段によって取得された表示設定に基づく画面データを前記情報処理装置に送信する送信手段とを備える。
【発明の効果】
【００１０】
本発明の画像処理装置によれば、情報処理装置のユーザがネットワークを介して画像処理装置にアクセスした場合に、情報処理装置に、画像処理装置の操作画面をユーザが所望する表示形式で表示させることが可能となる。
【図面の簡単な説明】
【００１１】
【図１】本実施形態のシステム構成を示す図である。
【図２】ＭＦＰの装置構成を示す図である。
【図３】クライアント端末とＭＦＰの機能ブロック図の一例である。
【図４】認証データのデータ構成を示す図である。
【図５】パーソナライズデータのデータ構成を示す図である。
【図６】クライアント端末とＭＦＰとの動作処理を説明する図である。
【図７】応答画面に設定されるスタイルシートを説明する図である。
【図８】クライアント端末とＭＦＰとの動作処理を説明する図である。
【図９】クライアント端末とＭＦＰとの動作処理を説明する図である。
【図１０】クライアント端末とＭＦＰとの動作処理を説明する図である。
【発明を実施するための形態】
【００１２】
図１は、本実施形態のシステム構成を示す図である。
図１に示す情報処理システムは、ＭＦＰ１０１とクライアント端末１０４とを備える。ＭＦＰ１０１とクライアント端末１０４とは、ＬＡＮ１０２とインターネット１０３を含むネットワークを介して通信する。ＭＦＰは、Ｍｕｌｔｉｆｕｎｃｔｉｏｎ  Ｐｅｒｉｐｈｅｒａｌの略称である。また、ＬＡＮは、Ｌｏｃａｌ  Ａｒｅａ  Ｎｅｔｗｏｒｋの略称である。
【００１３】
クライアント端末１０４は、外部のＷｅｂサービスに接続し、Ｗｅｂアプリケーションを操作可能なＷｅｂブラウザ機能を備えている情報処理装置である。ＭＦＰ１０１は、紙媒体をスキャンし、そのスキャンデータを元に用紙に画像を形成して印刷するコピー機能を持つ画像処理装置である。また、ＭＦＰ１０１は、クライアント端末からアクセスし操作可能なアプリケーションを提供可能なＷｅｂサイト機能を持ったＷｅｂサーバ部を備える。クライアント端末のＷｅｂブラウザからＷｅｂサーバにアクセスすることで、ＭＦＰ１０１の操作に関わる画面（操作画面）を表示し、機器のステータス表示、ジョブの実行、機器の設定を行うことが可能である。
【００１４】
図２は、ＭＦＰの装置構成を示す図である。
ＭＦＰ１０１は、スキャナ２１３およびプリンタ２１４を接続するとともに操作表示部２１１、操作入力部２１２、およびＬＡＮ１０２を接続することが可能なコントローラユニット２００を備える。
【００１５】
コントローラユニット２００は、システムバス２１０上に配置されたＣＰＵ(Central Processing Unit)２０１乃至プリンタＩ／Ｆ２０９を備える。ＣＰＵ２０１は、コントローラユニット２００全体を制御する。具体的には、ＣＰＵ２０１は、ＲＯＭ(Read Only Memory)２０３に格納されているブートプログラムに基づきシステムを起動する。また、ＣＰＵ２０１は、ＨＤＤ(Hard Disk Drive)２０４に格納されている制御プログラムを読み出し、ＲＡＭ(Random Access Memory)２０２をワークエリアとして、所定の処理を実行する。
【００１６】
ＨＤＤ２０４には、各種制御プログラムが格納される。また、ＨＤＤ２０４には、スキャナ２１３から読み込んだスキャンデータやネットワークＩ／Ｆ２０７を介して装置外から取得したデータが格納される。操作部出力Ｉ／Ｆ２０５は、操作表示部２１１へのデータ出力通信制御を行う。また、操作部入力Ｉ／Ｆ２０６は、操作表示部２１１からのデータ入力通信制御を行う。
【００１７】
ネットワークＩ／Ｆ２０７は、ＬＡＮ１０２に接続され、ＬＡＮ１０２を介した情報の入出力制御を行う。スキャナＩ／Ｆ２０８は、スキャナ２１３から画像データを入力するとともに、スキャナ制御データの入出力を行う。プリンタＩ／Ｆ２０９は、プリンタ２１４へ出力画像データを出力するとともに、プリンタ制御データの入出力を行う。以上２０１から２０９までのデバイスがシステムバス２１０上に配置される。
【００１８】
操作入力部２１２は、タッチパネルやハードキーなどの入力装置を備えた、ユーザからの指示入力インタフェースである。操作表示部２１１は、ＬＣＤ(Liquid Crystal Display)やＬＥＤ(Light Emitting Diode)などの表示装置を備えた、ユーザへの表示インタフェースである。操作表示部２１１は、ＭＦＰ１０１の操作部の画面として機能する。
【００１９】
スキャナ２１３は、ＣＣＤ(Charge Coupled Device)などの光学的な読み取り装置を備え、紙媒体を光学的に操作して、電子的な画像データとして読み取る機能を持つ。プリンタ２１４は、電子的な画像データを、用紙などの記録媒体上に画像として形成する機能を持つ。
【００２０】
図３は、クライアント端末とＭＦＰの機能ブロック図の一例である。
クライアント端末１０４は、Ｗｅｂブラウザ１５０と、ＣＰＵ１５１とを備える。Ｗｅｂブラウザ１５０は、ＭＦＰ１０１にアクセスして、Ｗｅｂサービスの提供を受ける。ＣＰＵ１５１は、クライアント端末１０４全体を制御する。
【００２１】
ＭＦＰ１０１は、ネットワークＩ／Ｆ２０７乃至言語リソース３２７を備える。ＭＦＰ１０１が備える各処理部は、ＭＦＰ１０１内のＣＰＵ２０１が、ＲＯＭ２０３もしくはＨＤＤ２０４に格納された制御プログラムを読み出して実行することで実現される。なお、言語コンテンツファイル３１４、認証データ３２４、パーソナライズデータ３２６、言語リソース３２７は、ＭＦＰ１０１内の所定の記憶部（例えばＨＤＤ２０４）に記憶されている。
【００２２】
ネットワークＩ／Ｆ２０７は、外部のクライアント端末１０４のＷｅｂブラウザ１５０と通信を行う。ネットワークＩ／Ｆ２０７は、Ｗｅｂサービスを提供するＷｅｂサーバ３０１にリクエストメッセージを送信する。また、ネットワークＩ／Ｆ２０７は、Ｗｅｂサーバ３０１から、レスポンスメッセージを受信し、Ｗｅｂブラウザ１５０に対して画面データを送信し、Ｗｅｂブラウザ１５０が、画面データに基づいて画面を表示する。この例では、Ｗｅｂブラウザ１５０は、Ｗｅｂサーバ部３０１から操作画面データを受信し、操作画面データに基づいて、ＭＦＰ１０１を操作するための操作画面を表示する。なお、クライアント端末１０４のＷｅｂブラウザ１５０は、Ｗｅｂサービスを利用して、操作画面データの提供を受けること以外に、様々なサービスを受けることが可能である。
【００２３】
クライアント端末１０４は、パーソナルコンピュータとしての個々の個人設定環境を持つことができる。この個人環境には、表示言語、画面色反転などアクセシビリティに関するものも含まれる。クライアント端末１０４の個人設定環境は、クライアント端末の個人情報とともに保存され、参照することが可能である。また、Ｗｅｂブラウザ１５０においても、表示言語情報などの設定情報を持つことができる。この設定情報は、Ｗｅｂブラウザ１５０からのリクエスト情報として、Ｗｅｂサーバ部３０１に送信することが可能である。このリクエスト情報は、例えば、ブラウザのｈｔｔｐヘッダ情報であるＡｃｃｅｐｔＬａｎｇｕａｇｅである。
【００２４】
次に、Ｗｅｂサーバ部３０１の構成について説明する。Ｗｅｂサーバ部３０１は、Ｗｅｂサービス処理部３１０、リモートＵＩアプリ３１１、リモートログインサービス３１２を備える。Ｗｅｂサービス処理部３１０は、Ｗｅｂブラウザ１５０からのリクエストメッセージを受け付け、リクエストメッセージに従って、どのＷｅｂアプリケーションのサービスと通信するかを決定する、ＨＴＴＰサービスとしての機能を持つ。具体的には、Ｗｅｂサービス処理部３１０は、リクエストメッセージとしてＵＲＬおよびパラメータを受け付け、受け付けたＵＲＬおよびパラメータを解析し、リクエストを特定する。そして、Ｗｅｂサービス処理部３１０は、リクエストに従って処理を行い、そのレスポンスをＷｅｂブラウザ１５０に返す。
【００２５】
Ｗｅｂブラウザ１５０から最初のリクエストを受け付けた場合は、Ｗｅｂサービス処理部３１０は、Ｗｅｂアプリケーションのサービスを受けるために、リモートログインサービス３１２を呼び出し、ログイン処理（認証処理）を行う。リモートログインサービス３１２は、認証処理を行い、その結果をＷｅｂサービス処理部３１０に返す。Ｗｅｂサービス処理部３１０は、返された認証処理の結果に基づき、Ｗｅｂブラウザ１５０からリクエストされたアプリケーションを呼び出す処理等を行う。
【００２６】
リモートＵＩアプリ３１１は、Ｗｅｂサービス処理部３１０から呼び出され、Ｗｅｂサービス処理部３１０からのリクエストメッセージを受け付ける。その際、Ｗｅｂサービス処理部３１０から認証情報を受け取る。その後、リモートＵＩアプリ３１１は、Ｗｅｂサービスを提供するために、リクエストメッセージに基づいて、画面生成指示処理等を行う。具体的には、リモートＵＩアプリ３１１は、Ｗｅｂブラウザ１５０からリクエストされたリクエストメッセージのパラメータとして、ＨＴＭＬ中のタグ名称やヘッダ情報を解析する。この解析において、前述のＡｃｃｅｐｔＬａｎｇｕａｇｅ情報も参照することが可能である。
【００２７】
リモートＵＩアプリ３１１は、言語コンテンツファイル３１４から適切な言語セットのコンテンツを呼び出し、ＨＴＭＬ画面を生成する。例えば、表示言語が英語の画面を生成する場合は、リモートＵＩアプリ３１１は、言語コンテンツファイル３１４から英語のコンテンツ（ファイル）を読み出し、ＨＴＭＬ画面を生成する。生成されたＨＴＭＬ画面は、応答画面としてネットワークＩ／Ｆ２０７を介してクライアント端末１０４に送信される。クライアント端末１０４のＷｅｂブラウザ１５０は、送信された応答画面を表示する。また、リモートＵＩアプリ３１１は、前述の認証情報に対応するユーザに紐づいたパーソナライズデータを、パーソナライズデータ管理部３２５を介して取得または設定する。
【００２８】
リモートログインサービス３１２は、認証データ３２４の情報に基づいて、Ｗｅｂサーバ部３０１から要求された認証処理を行う。具体的には、リモートログインサービス３１２は、Ｗｅｂサービス処理部３１０から呼ばれた際、認証用のＩＤとパスワード入力を要求する画面（図示なし）を生成する。そして、リモートログインサービス３１２は、生成した画面をクライアント端末１０４のＷｅｂブラウザ１５０に送信し表示させる。
【００２９】
また、前述の認証用のＩＤとパスワード入力を要求する画面の入力がなされ、認証要求を受け付けた際には、リモートログインサービス３１２は、認証データ３２４からＩＤとパスワード情報を検索し、一致するか否かを判断し、認証処理を行う。そして、認証が成功（ＯＫ）であれば、前述のように認証結果をＷｅｂサービス処理部３１０に返す。Ｗｅｂサービス処理部３１０は、上記認証処理の結果に基づき、Ｗｅｂブラウザ１５０がリクエストしたアプリケーションを呼び出す。ここで認証が失敗（ＮＧ）の場合には、リモートログインサービス３１２は、エラー画面を生成し、クライアント端末１０４のＷｅｂブラウザ１５０に送信し、表示することも可能である。
【００３０】
次に、主にＭＦＰ１０１の操作パネルの入出力制御を行う処理部について説明する。入出力制御部３２０は、ＭＦＰ１０１の操作パネルに対して、生成された操作画面を送信したり、操作画面の操作指示を受け付ける。具体的には、入出力制御部３２０は、ＭＦＰ１０１の操作パネルに表示すべき画面を操作部出力Ｉ／Ｆ２０５を介して操作表示部２１１に表示する。また、入出力制御部３２０は、操作入力部２１２におけるユーザの操作指示を操作部入力Ｉ／Ｆ２０６を介して受け取る。
【００３１】
デバイス制御部３２１は、入力制御部３２０からのリクエストを受けて操作パネルに表示すべき画面を生成する。具体的には、デバイス制御部３２１は、リクエストされた画面ＩＤと表示言語により、該当画面を言語リソース３２７から読み出し、ボタン等を配置し画面を生成する。このために、言語リソース３２７は、表示言語に応じた画面データを有している。生成される画面は、入出力制御部３２０を介して操作表示部２１１に表示される。生成される画面は、認証部３２３で必要な、ＩＤとパスワード情報を入力する画面も含む。
【００３２】
認証部３２３は、認証処理が必要な際に、デバイス制御部３２１から呼ばれ、認証処理を行う。具体的には、認証部３２３は、デバイス制御部３２１から呼ばれた際、認証用のＩＤとパスワードを取得する。認証部３２３は、認証データ３２４からＩＤとパスワード情報を検索し、一致するか否かを判断し、認証処理を行う。そして、認証部３２３は、認証結果をデバイス制御部３２１に返す。デバイス制御部３２１が、返された認証結果に基づき、画面制御を行う。
【００３３】
パーソナライズデータ管理部３２５は、デバイス制御部３２１またはリモートＵＩアプリ３１１から呼び出されて、ＭＦＰ１０１のパーソナライズデータを管理する。具体的には、パーソナライズデータ管理部３２５は、デバイス制御部３２１またはリモートＵＩアプリ３１１からの指示により、パーソナライズデータをユーザＩＤに紐づけて記憶部に記憶する。また、パーソナライズデータ管理部３２５は、デバイス制御部３２１またはリモートＵＩアプリ３１１からの指示により、ユーザＩＤに紐づいたパーソナライズデータを読み出して返す。
【００３４】
図４は、認証データのデータ構成を示す図である。
認証データ３２４は、ユーザＩＤ４０２、ユーザ名４０３、パスワード４０４といったユーザの認証を行う上で必要となる情報４０１をユーザ毎に持つ。これらの情報は、予めユーザ（主に管理者）が、ＭＦＰ１０１に登録しておくものとする。
【００３５】
図３の説明に戻る。認証部３２３、リモートログインサービス３１２は、入力されたユーザ名、パスワードと、認証データ３２４内のユーザ名、パスワードとが一致するか照合を行う。照合が一致しなかった場合、認証部３２３、リモートログインサービス３１２は、認証に失敗したと判断し、認証に失敗した旨を通知する。照合が一致した場合、認証部３２３、リモートログインサービス３１２は、認証に成功したと判断し、認証状態を未ログイン状態からログイン状態に変更する。
【００３６】
図５は、パーソナライズデータのデータ構成を示す図である。
パーソナライズデータ３２６は、ユーザ毎に保持することが可能なＭＦＰ１０１に対する設定情報５０１を持つ。設定情報５０１は、ユーザＩＤ４０２、画面色反転５０２、音声モード５０３、表示言語５０４、拡大鏡５０５、個人アドレス５０６を有する。なお、図５に示す設定情報５０１は一例であり、パーソナライズデータ３２６は、少なくとも、ユーザに紐付けられた、画面色反転５０２乃至拡大鏡５０５のうちのいずれかを含んでいればよい。
【００３７】
画面色反転５０２は、操作表示部２１１の画面の色を反転させるか否かの設定である。音声モード５０３は、音声キー操作機能と音声発生操作機能とを有効とするか否かの設定である。ここで、音声キー操作機能は、ＭＦＰ１０１の操作に必要な内容を音声ガイダンスとしてユーザに通知する機能である。また、音声発生操作機能は、ユーザによる音声の発生を解析・認識したキーワードを用いてユーザ入力とする機能である。表示言語５０４は、操作表示部２１１に表示する表示言語に関する設定である。拡大鏡５０５は、操作表示部２１１に表示される文字を拡大する機能を有効にするか否かの設定である。個人アドレス５０６は、ユーザ毎のＥ−Ｍａｉｌアドレスの設定である。
【００３８】
図３の説明に戻る。デバイス制御部３２１は、認証部３２３で認証が成功した際、パーソナライズデータ管理部３２５より、認証されたユーザのＩＤ４０２に紐づくパーソナライズデータ３２６が有する設定情報５０１を読み込み、ＭＦＰ１０１に対し、設定情報が示す設定の反映を行う。
【００３９】
（実施例１）
図６は、実施例１におけるクライアント端末とＭＦＰとの動作処理を説明する図である。
実施例１では、Ｗｅｂブラウザ１５０からネットワークを介してＭＦＰ１０１にアクセスした場合、ＭＦＰ１０１が、ユーザ毎に設定されたＭＦＰの操作部の表示設定に応じて、Ｗｅｂブラウザ１５０へ送信する応答画面に設定するスタイルシートを切り替える。スタイルシートは、Ｗｅｂブラウザ１５０が応答画面を表示する際の表示形式を定義する表示定義情報である。この例では、ＭＦＰ１０１は、アクセスしたユーザに紐付く、ＭＦＰ１０１の操作部の表示設定に応じた表示形式で表示するためのスタイルシートを設定する。
【００４０】
図６中の、ステップＳ０６３０からＳ０６３６の処理は、クライアント端末１０４のＣＰＵ１５１の指示により実行される。また、ステップＳ０６０２からＳ０６２８の処理はＭＦＰ１０１のＣＰＵ２０１の指示により実行される。ユーザ毎のＭＦＰ１０１の表示設定は、予めユーザ（主に管理者）によって行われているものとする。
【００４１】
まず、ステップＳ０６３０において、クライアント端末１０４上のＷｅｂブラウザ１５０が、ＭＦＰ１０１のＷｅｂサーバ部３０１にＭＦＰ１０１の情報／操作画面（リモートＵＩ）の要求を行う。操作画面は、ＭＦＰ１０１を操作する入力を行うための画面である。続いて、ステップＳ０６０２において、Ｗｅｂサービス処理部３１０が、クライアント端末１０４上のＷｅｂブラウザ１５０から、ＭＦＰ１０１の情報／操作画面（リモートＵＩ）の要求があったか否かの判断を行う。Ｗｅｂサービス処理部３１０は、要求がないと判断した場合、ステップＳ０６０２の処理を繰り返す。Ｗｅｂサービス処理部３１０は、要求があったと判断した場合、リモートログインサービス３１２に対し認証画面を要求し、ステップＳ０６０４においてクライアント端末１０４に対し認証画面を送信する。
【００４２】
次に、ステップＳ０６３２において、クライアント端末１０４上のＷｅｂブラウザ１５０が、ステップＳ０６０４でＭＦＰ１０１から送信された認証画面の表示を行う。ステップＳ０６３４において、クライアント端末１０４上のＷｅｂブラウザ１５０が、ユーザによって入力された認証情報（ユーザＩＤ、パスワード）をＭＦＰ１０１のＷｅｂサーバ部３０１に送信する。
【００４３】
ステップＳ０６０６において、Ｗｅｂサービス処理部３１０が、Ｓ０６３４でクライアント端末１０４上のＷｅｂブラウザ１５０から送信されたユーザＩＤ、パスワード情報をもとに、リモートログインサービス３１２に対し、認証が成功であるかを確認する。リモートログインサービス３１２は、Ｗｅｂサービス処理部３１０から受け付けたユーザＩＤ、パスワードの情報と、認証データ３２４のユーザ名、パスワードが一致するか照合を行う。リモートログインサービス３１２で照合が一致しなかったと判断された場合、Ｗｅｂサービス処理部３１０は、認証に失敗したと判断する。そして、Ｗｅｂサービス処理部３１０は、ステップＳ０６２８において、エラー画面をクライアント端末１０４への応答画面として設定する。そして、処理がステップＳ０６２４に進み、Ｗｅｂサービス処理部３１０が、クライアント端末１０４に対して応答画面を送信する。
【００４４】
リモートログインサービス３１２で照合が一致したと判断された場合、Ｗｅｂサービス処理部３１０は、認証に成功したと判断する。そして、Ｗｅｂサービス処理部３１０は、ユーザＩＤ、パスワードの情報をリモートＵＩアプリ３１１に送る。
【００４５】
ステップＳ０６０８において、リモートＵＩアプリ３１１が、Ｗｅｂサービス処理部３１０から送られたユーザＩＤの情報に基づき、パーソナライズ管理部３２５に対し、ユーザＩＤが示すユーザに紐付いている、ＭＦＰ１０１の操作部の表示設定を問い合わせる。具体的には、リモートＵＩアプリ３１１は、パーソナライズデータ３２６を問い合わせる。パーソナライズデータ管理部３２５は、パーソナライズデータ３２６からユーザのＭＦＰ１０１の操作部の表示設定を取得し、リモートＵＩアプリ３１１に応答する。
【００４６】
次に、リモートＵＩアプリ３１１が、パーソナライズデータ管理部３２５から応答された表示設定に基づいて、以下の判断処理を実行する。ステップＳ０６１０において、リモートＵＩアプリ３１１は、表示設定に画面色反転設定があるかを判断する。表示設定に画面色反転設定がある場合は、処理がステップＳ０６１４に進む。表示設定に画面色反転設定がない場合は、処理がステップＳ０６１２に進む。
【００４７】
ステップＳ０６１４において、リモートＵＩアプリ３１１が、表示設定に拡大鏡設定があるかを判断する。表示設定に拡大鏡設定がある場合は、処理がステップＳ０６２０に進む。表示設定に拡大鏡設定がない場合は、処理がステップＳ０６２２に進む。
【００４８】
また、ステップＳ０６１４において、リモートＵＩアプリ３１１が、表示設定に拡大鏡設定があるかを判断する。表示設定に拡大鏡設定がある場合は、処理がステップＳ０６１８に進む。表示設定に拡大鏡設定がない場合は、処理がステップＳ０６１６に進む。
【００４９】
ステップＳ０６１６において、リモートＵＩアプリ３１１が、クライアント端末１０４への応答画面を生成する。具体的には、リモートＵＩアプリ３１１は、言語コンテンツファイル３１４から、表示設定に含まれる表示言語に応じたコンテンツを呼び出し、呼び出されたコンテンツに基づいて応答画面を生成する。この処理は、後述するステップＳ０６１８、Ｓ０６２０，Ｓ０６２２においても実行される。リモートＵＩアプリ３１１は、生成した応答画面に対し、通常のスタイルシートを設定する。
【００５０】
また、ステップＳ０６１８において、リモートＵＩアプリ３１１が、クライアント端末１０４への応答画面に対し、文字サイズ拡大用のスタイルシートを設定する。また、ステップＳ０６２０において、リモートＵＩアプリ３１１が、クライアント端末１０４への応答画面に対し、画面色反転用かつ文字サイズ拡大用のスタイルシートを設定する。また、ステップＳ０６２２において、リモートＵＩアプリ３１１が、クライアント端末１０４への応答画面に対し、画面色反転用のスタイルシートを設定する。
【００５１】
上記のステップＳ０６１６、Ｓ０６１８、Ｓ０６２０、Ｓ０６２２でスタイルシートが設定される応答画面は、ＭＦＰ１０１の操作画面のデータ（操作画面データ）である。この操作画面データはＨＴＭＬ形式のデータである。
【００５２】
図７は、応答画面に設定されるスタイルシートを説明する図である。
ＨＴＭＬ７０１が、応答画面のデータを示す。スタイルシートは、７０３、７０４、７０５に例を示すように、ＨＴＭＬに対する表示の指定を行うためのＣＳＳ(Cascading Style Sheets)である。
【００５３】
ＨＴＭＬ７０１中の記述７０９で、まず、＜！ＤＯＣＴＹＰＥ＞によって、ＤＴＤ(Document Type Definition)宣言を行う。ＨＴＭＬは、バージョン毎に、そのバージョンで使用可能な要素（タグ）や属性の名前、それらの配置の仕方が定義されており、これをＤＴＤと呼び、＜！ＤＯＣＴＹＰＥ＞でどのＤＴＤに従って記述されているかを宣言する。また、＜ｈｔｍｌ＞でＨＴＭＬ文書であることを宣言する。
【００５４】
＜ｈｅａｄ＞〜＜／ｈｅａｄ＞の間には、文書タイトル等のヘッダ情報を記述し、＜ｔｉｔｌｅ＞で文書にタイトルを付ける。また、記述７０２のように外部のスタイルシートを読み込むことが可能である。例えば、ファイル名の記述７０２に、スタイルシート７０３、７０４または７０５を示すファイル名を記述する。このファイル名の記述を書き換えることで、Ｗｅｂブラウザ１５０での表示が、７０６、７０７、７０８のように切り替わる。スタイルシート７０３は、通常のスタイルシートである。スタイルシート７０４は、文字サイズ拡大用のスタイルシートである。スタイルシート７０５は、画面色反転用のスタイルシートである。
【００５５】
図６のステップＳ０６１６、Ｓ０６１８、Ｓ０６２０、Ｓ０６２２におけるスタイルシートの設定により、ＭＦＰ１０１の情報／操作画面（リモートＵＩ）のスタイルシートが、ユーザに紐付くＭＦＰ１０１の表示設定に応じたスタイルシートに切り替えられる。
【００５６】
ステップＳ０６２４において、Ｗｅｂサービス処理部３１０が、クライアント端末１０４に対して応答画面を送信し、ＭＦＰ１０１側の処理を終了する。そして、ステップＳ０６３６において、クライアント端末１０４上のＷｅｂブラウザ１５０が、ＭＦＰ１０１のＷｅｂサービス処理部３１０から送信された応答画面の表示を行う。Ｗｅｂブラウザ１５０は、応答画面にスタイルシートが設定されている場合には、このスタイルシートにしたがった表示形式で応答画面を表示する。
【００５７】
以上より、ＭＦＰ１０１は、ユーザ毎に設定された操作部の表示設定をもとに、Ｗｅｂブラウザ１５０に表示する画面のスタイルシートを切り替える。すなわち、リモートＵＩアプリ３１１が、応答画面にスタイルシートを設定することで、クライアント端末でのＭＦＰ１０１の操作画面の表示が、クライアント端末のユーザに紐付くＭＦＰの操作部の表示設定に応じた表示となるように制御する。これにより、クライアント端末１０４側で設定を行わずに、ＭＦＰ１０１の操作部の表示設定に合わせた表示が可能となる。
【００５８】
（実施例２）
図８は、実施例２におけるクライアント端末とＭＦＰとの動作処理を説明する図である。
実施例２では、言語コンテンツファイル３１４として、ＭＦＰの操作部の表示設定に応じて編集されたコンテンツが予め保持されている。Ｗｅｂブラウザ１５０からネットワークを介してＭＦＰ１０１にアクセスした場合、ＭＦＰ１０１が、ＭＦＰの操作部の表示設定に応じて編集されたコンテンツを取得し、このコンテンツを応答画面として設定して、Ｗｅｂブラウザ１５０に送信する。
【００５９】
ステップＳ０８２８乃至Ｓ０８３４、Ｓ０８０２乃至Ｓ０８１４、Ｓ０８２６は、図６のステップＳ０６３０乃至Ｓ０６３６、Ｓ０６０２乃至Ｓ０６１４、Ｓ０６２８と同様であるので、説明を割愛する。
【００６０】
ステップＳ０８１０、Ｓ０８１２、Ｓ８１４において、リモートＵＩアプリ３１１は、ＭＦＰ１０１の操作部の表示設定に関する判断処理を実行する。そして、ステップＳ０８１６、Ｓ０８１８、Ｓ０８２０、Ｓ０８２２において、リモートＵＩアプリ３１１は、上記の判断処理の結果に対応するコンテンツを言語コンテンツファイル３１４から取得し、応答用画面として設定する。
【００６１】
すなわち、ステップＳ０８１６では、リモートＵＩアプリ３１１は、言語コンテンツファイル３１４から通常のコンテンツを取得して応答用画面として設定する。ステップＳ０８１８では、リモートＵＩアプリ３１１は、言語コンテンツファイル３１４から文字サイズ拡大用のコンテンツを取得して応答用画面として設定する。文字サイズ拡大用のコンテンツは、拡大した文字サイズで、かつ、余分な項目が削減されて表示されるように編集されたコンテンツである。これにより、可読性の高い操作画面を提供することができる。
【００６２】
ステップＳ０８２２では、リモートＵＩアプリ３１１は、言語コンテンツファイル３１４から画面色反転用のコンテンツを取得して応答用画面として設定する。画面色反転用のコンテンツは、画面色が反転して表示されるように編集されたコンテンツである。ステップＳ０８２０では、リモートＵＩアプリ３１１は、言語コンテンツファイル３１４から画面色反転用かつ文字サイズ拡大用のコンテンツを取得して応答画面として設定する。画面色反転用かつ文字サイズ拡大用のコンテンツは、画面色が反転し、拡大した文字サイズで、かつ、余分な項目が削減されて表示されるように編集されたコンテンツである。リモートＵＩアプリ３１１は、表示設定の内容に応じて、画面内の操作性や操作フローの変更を行うようにしてもよい。
【００６３】
ステップＳ０８２４において、Ｗｅｂサービス処理部３１０はクライアント端末１０４に対して応答画面を送信し、ＭＦＰ１０１側の処理を終了する。そして、ステップＳ０８３４において、クライアント端末１０４上のＷｅｂブラウザ１５０が、ＭＦＰ１０１のＷｅｂサービス処理部３１０から送信された応答画面の表示を行い、クライアント端末１０４側の処理を終了する。
【００６４】
以上より、ＭＦＰ１０１が、ユーザ毎に設定された表示設定をもとに、表示内容や項目が編集された応答画面をクライアント端末１０４に送信することで、クライアント端末１０４側で設定を行わずに、ＭＦＰ１０１の表示設定に合わせた表示が可能となる。
【００６５】
（実施例３）
図９は、実施例３におけるクライアント端末とＭＦＰとの動作処理を説明する図である。
実施例３では、ＭＦＰ１０１が、クライアント端末１０４に対して、ＭＦＰ１０１の操作部の表示設定に合わせた表示を行うかを問い合わせる。
【００６６】
ステップＳ０９３６乃至Ｓ０９４０、Ｓ０９０２乃至Ｓ０９０８、Ｓ０９３４に関しては、図６のステップＳ０６３０乃至Ｓ０６３４、Ｓ０６０２乃至Ｓ０６０８、Ｓ０６２８と同様である為、ここでは説明を割愛する。
【００６７】
ステップＳ０９１０において、リモートＵＩアプリ３１１が、パーソナライズデータ管理部３２５から取得したパーソナライズデータに基づいて、アクセス元のユーザに紐付くＭＦＰ１０１の操作部の表示設定がされているか否かの判断を行う。リモートＵＩアプリ３１１は、ユーザに紐付くＭＦＰ１０１の操作部の表示設定がされていないと判断した場合は、ステップＳ０９２２で通常のスタイルシートを設定する。
【００６８】
リモートＵＩアプリ３１１は、ユーザに紐付くＭＦＰ１０１の操作部の表示設定がされていると判断した場合は、ステップＳ０９１２において、以下の処理を実行する。リモートＵＩアプリ３１１は、Ｗｅｂブラウザ１５０に対し、ＭＦＰ１０１の操作部の表示設定に応じた表示にするかを問い合わせる確認画面１００１を送信して表示させる。ＭＦＰ１０１の操作部の表示設定に応じた表示とは、ＭＦＰ１０１の操作部の表示設定に合わせた表示である。
【００６９】
図１０は、確認画面の例を示す図である。
ユーザがボタン１００２を押すと、ＭＦＰ１０１の操作部の表示設定に合わせた表示を行うことが選択される。ユーザがボタン１００２を押すと、ＭＦＰ１０１の操作部の表示設定に合わせた表示を行わないことが選択される。
【００７０】
図９の説明に戻る。ステップＳ０９４２において、クライアント端末１０４上のＷｅｂブラウザ１５０が、ユーザによる確認画面１００１上での選択を示す選択情報をＭＦＰ１０１に対して通知する。続いて、ステップＳ０９１４において、リモートＵＩアプリ３１１が、選択情報に基づいて、ＭＦＰ１０１の操作部の表示設定に合わせた設定を行うかを判断する。
【００７１】
選択情報が、ＭＦＰ１０１の操作部の表示設定に合わせた表示を行うことを示す場合、リモートＵＩアプリ３１１は、ＭＦＰ１０１の操作部の表示設定に合わせた設定を行うと判断する。そして、処理がステップＳ０９１６に進む。選択情報が、ＭＦＰ１０１の操作部の表示設定に合わせた表示を行わないことを示す場合、リモートＵＩアプリ３１１は、ＭＦＰ１０１の操作部の表示設定に合わせた設定を行わないと判断する。そして、処理がステップＳ０９２２に進む。ステップＳ９１６乃至Ｓ０９２８、Ｓ０９３２、Ｓ０９４４は、図６のステップＳ６１０乃至Ｓ０６２２、Ｓ０６２４、Ｓ０６３６と同様である為、説明を割愛する。
【００７２】
実施例３によれば、クライアント端末１０４上のＷｅｂブラウザ１５０からＭＦＰ１０１にアクセスした場合、Ｗｅｂブラウザ１５０が表示する操作画面の表示設定をＭＦＰ１０１の操作部の表示設定に合わせるかをユーザが選択可能となる。
【００７３】
以上説明した各実施例は、特許請求の範囲に係る発明を限定するものではなく、また各実施例で説明されている特徴の組み合わせの全てが発明の解決手段に必須のものとは限らない。また、実施例３と実施例２とを組み合わせてもよい。すなわち、図８のステップＳ０８０８とＳ０８１０との間において、図９のステップＳ０９１０、Ｓ０９１２、Ｓ０９４２、Ｓ０９１４の処理を行うようにしてもよい。
【００７４】
（その他の実施例）
また、本発明は、以下の処理を実行することによっても実現される。上述した実施形態の機能を実現するソフトウェア（コンピュータプログラム）を、ネットワーク又は各種記憶媒体を介してシステム或いは装置に供給し、システム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００７５】
１０１  ＭＦＰ
１０４  クライアント端末
【図１】
2019022235.tif 000003
【図２】
2019022235.tif 000004
【図３】
2019022235.tif 000005
【図４】
2019022235.tif 000006
【図５】
2019022235.tif 000007
【図６】
2019022235.tif 000008
【図７】
2019022235.tif 000009
【図８】
2019022235.tif 000010
【図９】
2019022235.tif 000011
【図１０】
2019022235.tif 000012
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
ネットワークを介して情報処理装置と通信可能な画像処理装置であって、
前記画像処理装置にログイン可能なユーザのユーザ識別情報に対応付けられている表示設定であって、前記表示設定に基づく画面を表示可能な操作部と、
前記情報処理装置からユーザ識別情報を受信する受信手段と、
前記受信手段によって受信したユーザ識別情報に対応付けられている前記表示設定に基づく画面データを前記情報処理装置に送信する送信手段とを備える
ことを特徴とする画像処理装置。
【請求項２】
ネットワークを介して情報処理装置と通信可能な画像処理装置であって、
前記画像処理装置にログイン可能なユーザのユーザ識別情報に対応付けられている表示設定であって、前記表示設定に基づく画面を表示可能な操作部と、
前記情報処理装置からユーザ識別情報を受信する受信手段と、
前記受信手段によって受信したユーザ識別情報に対応付けられている前記表示設定に基づく表示定義情報が設定された画面データを前記情報処理装置に送信する送信手段とを備える
ことを特徴とする画像処理装置。
【請求項３】
さらに、前記情報処理装置に対して、前記情報処理装置での前記画像処理装置の操作画面の表示を前記操作部の表示設定に基づく表示にするかを問い合わせる制御手段を有し、
前記送信手段は、前記問い合わせに対する前記情報処理装置からの通知が、前記操作画面の表示を前記操作部の表示設定に基づく表示にすることを示す場合に、前記表示設定に基づく画面データを送信する
ことを特徴とする請求項１に記載の画像処理装置。
【請求項４】
さらに、前記情報処理装置に対して、前記情報処理装置での前記画像処理装置の操作画面の表示を前記操作部の表示設定に基づく表示にするかを問い合わせる制御手段を有し、
前記送信手段は、前記問い合わせに対する前記情報処理装置からの通知が、前記操作画面の表示を前記操作部の表示設定に基づく表示にすることを示す場合に、前記表示設定に基づく表示定義情報が設定された画面データを送信する
ことを特徴とする請求項２に記載の画像処理装置。
【請求項５】
前記画面データは、ＨＴＭＬ形式のデータであり、前記表示定義情報は、スタイルシートである
ことを特徴とする請求項４に記載の画像処理装置。
【請求項６】
前記送信手段は、送信する前記画面データとして、前記操作部の表示設定に基づき編集されたコンテンツを取得して送信する
ことを特徴とする請求項１に記載の画像処理装置。
【請求項７】
さらに、前記情報処理装置に対して、前記情報処理装置での前記画像処理装置の操作画面の表示を前記操作部の表示設定に基づく表示にするかを問い合わせる制御手段を有し、
前記送信手段は、前記問い合わせに対する前記情報処理装置からの通知が、前記操作画面の表示を前記操作部の表示設定に基づく表示にすることを示す場合に、送信する前記画面データとして、前記操作部の表示設定に応じて編集されたコンテンツを取得することを特徴とする請求項６に記載の画像処理装置。
【請求項８】
前記操作部の表示設定は、少なくとも、前記操作部の画面に表示される文字の拡大に関する設定、表示言語に関する設定、前記画面の色の反転に関する設定、操作に関する通知または入力を音声で行う機能に関する設定のうちのいずれかを含む
ことを特徴とする請求項１乃至７のいずれか１項に記載の画像処理装置。
【請求項９】
さらに、前記情報処理装置が備えるＷｅｂブラウザが実行する操作画面の表示を制御するＷｅｂサーバを有する
ことを特徴とする請求項１乃至８のいずれか１項に記載の画像処理装置。
【請求項１０】
前記情報処理装置から前記ネットワークを介してアクセスされた場合に、情報処理装置のユーザの認証処理を実行する認証手段を備え、
前記送信手段は、前記認証手段による前記ユーザの認証が成功した場合に、前記ユーザのユーザ識別情報に対応付けられている前記表示設定に基づく画面データを前記情報処理装置に送信する
ことを特徴とする請求項１乃至９のいずれか１項に記載の画像処理装置。
【請求項１１】
画像処理装置と、ネットワークを介して前記画像処理装置と通信可能な情報処理装置とを備えるシステムであって、
前記画像処理装置は、
前記画像処理装置にログイン可能なユーザのユーザ識別情報に対応付けられている表示設定であって、前記表示設定に基づく画面を表示可能な操作部と、
前記情報処理装置からユーザ識別情報を受信する受信手段と、
前記受信手段によって受信したユーザ識別情報に対応付けられている前記表示設定に基づく画面データを前記情報処理装置に送信する送信手段とを備え、
前記情報処理装置は、
前記画像処理装置にユーザ識別情報を送信する送信手段と、
前記画像処理装置が備える送信手段から受信した前記画面データの表示を実行する表示手段とを備える
ことを特徴とする情報処理システム。
【請求項１２】
画像処理装置と、ネットワークを介して前記画像処理装置と通信可能な情報処理装置とを備えるシステムであって、
前記画像処理装置は、
前記画像処理装置にログイン可能なユーザのユーザ識別情報に対応付けられている表示設定であって、前記表示設定に基づく画面を表示可能な操作部と、
前記情報処理装置からユーザ識別情報を受信する受信手段と、
前記受信手段によって受信したユーザ識別情報に対応付けられている前記表示設定に基づく表示定義情報が設定された画面データを前記情報処理装置に送信する送信手段とを備え、
前記情報処理装置は、
前記画像処理装置にユーザ識別情報を送信する送信手段と、
前記画像処理装置が備える送信手段から受信した前記画面データの表示を実行する表示手段とを備える
ことを特徴とする情報処理システム。
【請求項１３】
ネットワークを介して情報処理装置と通信可能な画像処理装置の制御方法であって、
前記画像処理装置にログイン可能なユーザのユーザ識別情報に対応付けられている表示設定であって、前記表示設定に基づく画面を表示する表示工程と、
前記情報処理装置からユーザ識別情報を受信する受信工程と、
前記受信工程によって受信したユーザ識別情報に対応付けられている前記表示設定に基づく画面データを前記情報処理装置に送信する送信工程とを有する
ことを特徴とする制御方法。
【請求項１４】
ネットワークを介して情報処理装置と通信可能な画像処理装置の制御方法であって、
前記画像処理装置にログイン可能なユーザのユーザ識別情報に対応付けられている表示設定であって、前記表示設定に基づく画面を表示する表示工程と、
前記情報処理装置からユーザ識別情報を受信する受信工程と、
前記受信工程によって受信したユーザ識別情報に対応付けられている前記表示設定に基づく表示定義情報が設定された画面データを前記情報処理装置に送信する送信工程とを有する
ことを特徴とする制御方法。
【請求項１５】
コンピュータを請求項１乃至１０のいずれか１項に記載の画像処理装置が備える各手段として機能させるためのコンピュータプログラム。
【手続補正２】
【補正対象書類名】明細書
【補正対象項目名】０００９
【補正方法】変更
【補正の内容】
【０００９】
本発明の一実施形態の画像処理装置は、ネットワークを介して情報処理装置と通信可能な画像処理装置であって、前記画像処理装置にログイン可能なユーザのユーザ識別情報に対応付けられている表示設定であって、前記表示設定に基づく画面を表示可能な操作部と、前記情報処理装置からユーザ識別情報を受信する受信手段と、前記受信手段によって受信したユーザ識別情報に対応付けられている前記表示設定に基づく画面データを前記情報処理装置に送信する送信手段とを備える。